(57)【特許請求の範囲】
【請求項１】
洗浄液を流通させる円筒状の水路と、該円筒状の水路に挿入されたノズルと、該ノズルの出口側に設けられ前記水路より小径の出口側の円筒状の水路と、該出口側の円筒状の水路に直角方向に設けられ外部より空気を導入する空気取入部と、該空気取入部と連通し該出口側の水路に空気を吸入可能なオリフィスとを備えたことを特徴とする冷却配管用ジェット洗浄ユニット。
【請求項２】
複数のリング状のマグネットが重ねられ前記円筒状の水路と同径の円筒状の水路が中心に形成されたマグネットユニットに接続し、洗浄液が前記マグネットの前記円筒状の水路を流通し冷却配管用ジェット洗浄ユニットに流入することを特徴とする請求項１に記載の冷却配管用ジェット洗浄ユニット。
【請求項３】
内部にフィルタエレメントが装着されたフィルタと、複数のリング状のマグネットが重ねられ円筒状の中空部が形成されたマグネットユニットとで構成され、該マグネットユニットの前記中空部に前記フィルタが挿入されたマグネット付フィルタユニットに接続し、洗浄液が前記フィルタエレメントを浸透して流出するとき前記マグネットユニットの磁気中を通り冷却配管用ジェット洗浄ユニットに流入することを特徴とする請求項１に記載の冷却配管用ジェット洗浄ユニット。
【請求項４】
前記オリフィスは、前記円筒状の空気取入部を介し、前記オリフィスに空気を圧入するコンプレッサと連通し、該コンプレッサにより前記水路に流れる洗浄液に気泡を強制的に混入することを特徴とする請求項１に記載の冷却配管用ジェット洗浄ユニット。
【発明の詳細な説明】
【０００１】
【発明の属する技術分野】
本発明は、配管洗浄装置に関し、特に、冷却路や冷却配管などに発生した錆や付着したスケールを容易に、且つ、確実に除去する冷却配管用ジェット洗浄ユニットに関する。
【０００２】
【従来の技術】
図６は、従来装置の冷却配管洗浄装置１を説明するためのブロック図を示す。金型の冷却路や空調機器の冷却配管などは長期間使用していると、管の内部に錆が発生したり、カルシウムやシリカなどのスケールが付着し、管内が狭くなるとともに冷却効果が低下する恐れがある。そのため、この冷却配管洗浄装置１を使用し、洗浄液により冷却路や冷却配管に発生した錆や付着したスケールを除去することが行われている。
【０００３】
冷却配管洗浄装置１は、洗浄液を貯留する貯留槽２と、貯留槽２から洗浄液を供給するポンプ３と、洗浄液を濾過するフィルタ４と、圧力計５などで構成されている。
【０００４】
例えば金型９０の冷却路９１を洗浄するときには、洗浄液を貯留槽２に入れ、金型９０の冷却路９１と冷却配管洗浄装置１とを洗浄液供給側の連結管９２と洗浄液回収側の連結管９３により連結し、弁８、９を開きポンプ３を作動させると洗浄液は金型９０の冷却路９１を循環し、洗浄が行われる。洗浄状況は、圧力計５で監視でき、洗浄後は排水用の弁７を開き洗浄液を回収することができる。
【０００５】
【発明が解決しようとする課題】
しかしながら、従来の冷却管洗浄装置１には、次のような問題があった。
【０００６】
前記したごとく、従来の冷却管洗浄装置１は洗浄液により冷却路や冷却配管に発生した錆や付着したスケールを除去することができるが、冷却路や冷却配管の内部に凹凸や段差などがあった場合には除去に時間がかかったり除去され難いという問題があった。また、特に、高精度プラスチックであるエンプラ（エンジニヤリングプラスチック）の場合、成形金型の冷却路に発生した錆や付着したスケールの影響を受け易く、より確実に除去することが望まれている。
【０００７】
本発明は、上記に鑑みてなされたものであって、冷却路や冷却配管などに発生した錆や付着したスケールを容易に、且つ、確実に除去する冷却配管用ジェット洗浄ユニットを提供することを目的とする。
【０００８】
【課題を解決するための手段】
本発明の冷却配管用ジェット洗浄ユニットは、洗浄液を流通させる円筒状の水路と、該円筒状の水路に挿入されたノズルと、該ノズルの出口側に設けられ前記水路より小径の出口側の円筒状の水路と、該出口側の円筒状の水路に直角方向に設けられ外部より空気を導入する空気取入部と、該空気取入部と連通し該出口側の水路に空気を吸入可能なオリフィスとを備えたことを特徴とする。
【０００９】
また、本発明の冷却配管用ジェット洗浄ユニットは、洗浄液を流通させる円筒状の水路と、該円筒状の水路の側面に設けられ水路に空気を吸入可能なオリフィスとを備えたことを特徴とする。
【００１０】
また、複数のリング状のマグネットが重ねられ円筒状の水路が形成されたマグネットユニットに前記冷却配管用ジェット洗浄ユニットを接続し、洗浄液が前記マグネットの水路を流通し、前記冷却配管用ジェット洗浄ユニットに流入することを特徴とする。
【００１１】
また、内部にフィルタエレメントが装着されたフィルタと、複数のリング状のマグネットが重ねられたマグネットユニットとで構成され、該マグネットユニットの内側に前記フィルタが挿入されたマグネット付フィルタユニットに前記冷却配管用ジェット洗浄ユニットを接続し、洗浄液が前記フィルタエレメントを浸透して流出するとき前記マグネットユニットの磁気中を通り前記冷却配管用ジェット洗浄ユニットに流入することを特徴とする。
【００１２】
また、前記オリフィスは、前記水路の円筒方向または円周方向に複数個備えたことを特徴とする。
【００１３】
また、前記オリフィスは、前記水路の水流方向に傾斜するとともに水流方向に対し外方に向けることを特徴とする。
【００１４】
また、前記オリフィスは、前記オリフィスに空気を圧入するコンプレッサと連通し、該コンプレッサにより前記水路に流れる洗浄液に気泡を強制的に混入することを特徴とする。
【００１５】
また、前記冷却配管用ジェット洗浄ユニットは、冷却管洗浄装置に設けた貯留槽の出口側に取り付けたことを特徴とする。
【００１６】
さらに、前記冷却配管用ジェット洗浄ユニットは、冷却管浄化装置に備えた冷却装置の出口側に取り付けたことを特徴とする。
【００１７】
【発明の実施の形態】
以下、本発明の実施の形態について説明する。
【００１８】
図１は、マグネットユニット２０を一体に取り付けた本発明に関わる冷却配管用ジェット洗浄ユニット１０の側面構成図を示す。冷却配管用ジェット洗浄ユニット１０は、ハウジング１１と、ハウジング１１に設けられた円筒状の水路１１Ａに挿入されたノズル１４と、円筒状の空洞部１１Ｂに挿入されたアッタッチメント１７と、ノズル１４に空気を吸入する空気取入部１２とで構成されている。ノズル１４は内部にノズル部１４Ｂを形成するテーパ部１４Ａを有し、導入される洗浄液を絞り流速を高めて噴射するもので、空気取入部１２は内部に貫通した空気取入路１３を有し、空気をノズル１４に向け導入するものである。アッタッチメント１７は、空気取入路１３よりノズル１４の出口に空気を吸入するオリフィス１５を空気ガイド１７Ａにより形成するとともに、水路１１Ａより小径の円筒状の水路１７Ｂを有する。従って、空気は空気取入部１２と、オリフィス１５を介しノズル１４の出口側に吸入され、洗浄液は水路１１Ａからノズル１４を介し水路１７Ｂから流出することができる。円筒状の継管部１９は、ハウジング１１の端部に取り付けられ接続管を取り付けることができる。
【００１９】
マグネットユニット２０は、リング状のマグネット２１が複数個重ねられたもので、マグネット２１の内側に円筒状の水路２４が形成され、水路２４と水路１１Ａが連通し冷却配管用ジェット洗浄ユニット１０に一体に取り付けられている。円筒状の継管部２９は、マグネット２１の端部に取り付けられ接続管を取り付けることができる。また、冷却配管用ジェット洗浄ユニット１０は、マグネットユニット２０を一体に取り付けているため、全体にコンパクトになっている。
【００２０】
次に、マグネットユニット２０と冷却配管用ジェット洗浄ユニット１０に導入される空気と洗浄液の動作につき説明する。
【００２１】
矢印Ｗ１の方向から洗浄液が継管部２９に導入されると、洗浄液は磁気中の水路２４を通りノズル１４で絞られ流速が高められてノズル１４の出口側から噴出する。一方、空気は、矢印Ｅ１の方向から空気取入部１２の空気取入路１３を通りオリフィス１５を介しノズル１４の出口側に吸入される。ノズル１４から噴出された洗浄液は水路１７Ｂを通り矢印Ｓ１方向に流出するが、ノズル１４の出口側では洗浄液の流速が高いためオリフィス１５より吸入され、吸入された空気は多数の気泡となって洗浄液に混入される。
【００２２】
水路１７Ｂは水路１１Ａより小径でノズル１４のノズル部１４Ｂに応じた径にしているため、洗浄液に気泡の混入が的確に行われ、混入された気泡を維持して水路１７Ｂを流通することができる。
【００２３】
マグネットユニット２０を通りノズル１４により流速が高められオリフィス１５により多数の気泡が混入された洗浄液は、冷却路や冷却配管に流入されるが、マグネットユニット２０を通るときマグネット２１により磁気中を通過した洗浄液は、その磁気効果により冷却路や冷却配管に発生した錆をより効率的に除去することができ、また、洗浄液に多数の気泡を混入しているため、洗浄液による洗浄効果に加え、付着したスケールなどを気泡との接触により効果的に除去することができる。
【００２４】
図２は、マグネット付フィルタユニット４０を一体に取り付けた本発明に関わる冷却配管用ジェット洗浄ユニット１０の側面構成図を示す。冷却配管用ジェット洗浄ユニット１０は、マグネット付フィルタユニット４０を一体に取り付け、図１に示す構成と同一となっている。
【００２５】
マグネット付フィルタユニット４０は、フィルタ３０と、マグネットユニット５０とで構成され、フィルタ３０は冷却配管用ジェット洗浄ユニット１０に接続しマグネットユニット５０はフィルタ３０に取り付けられている。フィルタ３０は、フィルタハウジング３１の内部にフィルタエレメント３２が装着され、継管部３９より導入される洗浄液はフィルタエレメント３２を浸透し、冷却配管用ジェット洗浄ユニット１０の水路１１Ａに流出される。
【００２６】
マグネットユニット５０はリング状のマグネット５１が複数個重ねられたもので、フィルタハウジング３１の外側に挿入固定されている。円筒状の継管部３９には接続管を取り付けることができる。また、冷却配管用ジェット洗浄ユニット１０は、マグネット付フィルタユニット４０を一体に取り付けているため、全体にコンパクトになっている。
【００２７】
次に、マグネット付フィルタユニット４０と冷却配管用ジェット洗浄ユニット１０に導入される空気と洗浄液の動作につき説明する。
【００２８】
矢印Ｗ２の方向から洗浄液が継管部３９に導入されると、フィルタエレメント３２を浸透し、マグネットユニット５０による磁気中を通過し、冷却配管用ジェット洗浄ユニット１０に流出される。冷却配管用ジェット洗浄ユニット１０の水路１１Ａに流出した洗浄液はノズル１４で絞られ流速が高められてノズル１４の出口側から噴出する。一方、空気は矢印Ｅ２の方向から空気取入部１２の空気取入路１３を通り、オリフィス１５を介しノズル１４の出口側に吸入される。ノズル１４から噴出された洗浄液は水路１７Ｂを通り矢印Ｓ２の方向に流出するが、ノズル１４の出口側では洗浄液の流速が高いため空気は空気取入部１２より吸入され、吸入された空気は多数の気泡となって洗浄液に混入され水路１７Ｂより流出する。
【００２９】
マグネット付フィルタユニット４０を通りノズル１４により流速の高められオリフィス１５により多数の気泡の混入された洗浄液は、冷却路や冷却配管に流入されるが、マグネット付フィルタユニット４０を通るときマグネット２１により磁気中を通過した洗浄液は、その磁気効果により冷却路や冷却配管に発生した錆をより効率的に除去することができる。さらに、洗浄液に多数の気泡を混入しているため洗浄液による洗浄効果に加え、付着したスケールなどを気泡との接触により効果的に除去することができ、フィルタ３０により洗浄液中のスケールも除去できる全体にコンパクトの構造になっている。
【００３０】
図３は、本発明に関わる他の実施例を示し、冷却配管用ジェット洗浄ユニット６０の側面構成図を示す。図３（Ａ）は、本発明に関わる冷却配管用ジェット洗浄ユニット６０の第１実施例の側面構成図を示し、図３（Ｂ）は、本発明に関わる冷却配管用ジェット洗浄ユニット６０の第２実施例の側面構成図を示す。
【００３１】
図３（Ａ）の冷却配管用ジェット洗浄ユニット６０は、貫通している円筒状の水路６４を形成した流水管部６１と、流水管部６１の側面に一端が挿入され内部に空気取入路６３と下端にオリフィス６５を有し空気が水路６４に吸入可能な空気取入部６２とで構成されている。冷却配管用ジェット洗浄ユニット６０の端部にはマグネットユニット２０またはマグネット付フィルタユニット４０を取り付けることができ、他端には接続管を取り付けることができる。
【００３２】
次に、冷却配管用ジェット洗浄ユニット６０に導入される空気と洗浄液の動作につき説明する。
【００３３】
矢印Ｗ３の方向から比較的流速の高い洗浄液が水路６４に導入されると、洗浄液は水路６４を通り出口側から矢印Ｓ３の方向に流出するが、水路６４内の洗浄液の流速により空気は矢印Ｅ３の方向から空気取入路６３を介して複数のオリフィス６５から吸入され、吸入された空気は多数の気泡となって洗浄液に混入される。
【００３４】
矢印Ｗ３の方向から比較的高い流速の洗浄液を必要とするが、多数の気泡の混入された洗浄液は冷却路や冷却配管に流入され、上記実施例と同様に、冷却路や冷却配管に発生した錆をより効率的に除去することができ、また、複数のオリフィス６５により多数の気泡を混入しているため、洗浄液による洗浄効果に加え付着したスケールなどを気泡との接触により効果的に除去することができる。
【００３５】
なお、混入する気泡は小さくて混入数の多いほどスケールの除去効果を上げることができる。水路６４を流れる洗浄液の流速に対し所定の大きさの気泡を得るためにはオリフィス６５の大きさは決められてしまうため、混入される所定の大きさの気泡の数は洗浄液の流速に対し限定されることとなる。
【００３６】
図３（Ａ）の実施例では、空気取入部６２は１個でも洗浄液の流速に対し所定の大きさの所定数の気泡の混入を行うことができるが、複数個の空気取入部６２を設けることにより気泡の大きさはほぼ同じで混入数を増加することができ、スケールの除去効果をより上げることができる。
【００３７】
図３（Ｂ）の冷却配管用ジェット洗浄ユニット７０は、貫通している円筒状の水路７４を形成した流水管部７１と、流水管部７１の側面に明けられた複数のオリフィス７５と、複数のオリフィス７５の明けられた流水管部７１の円周に沿って取り付けられた環状空気取入部７６と、一端が環状空気取入部７６に挿入され内部に空気取入路７３を有し空気が環状空気取入部７６の内部を介して複数のオリフィス７５から水路７４に吸入可能な空気取入部７２とで構成されている。冷却配管用ジェット洗浄ユニット７０の端部にはマグネットユニット２０またはマグネット付フィルタユニット４０を取り付けることができ、他端には接続管を取り付けることができる。
【００３８】
冷却配管用ジェット洗浄ユニット７０に導入される空気と洗浄液の動作について説明する。
【００３９】
矢印Ｗ４の方向から比較的流速の高い洗浄液が水路７４に導入されると、洗浄液は水路７４を通り出口側から矢印Ｓ４の方向に流出するが、水路７４内の洗浄液の流速により空気は、矢印Ｅ４の方向から空気取入路７３を介し複数のオリフィス７５より吸入され吸入された空気は多数の気泡となって洗浄液に混入される。
【００４０】
多数の気泡が混入された洗浄液は、冷却路や冷却配管に流入されるが、上記冷却配管用ジェット洗浄ユニット６０と同様に、冷却路や冷却配管に発生した錆をより効率的に除去することができ、また、洗浄液に複数のオリフィス７５より多数の気泡を混入しているため、洗浄液による洗浄効果に加え、付着したスケールなどを気泡との接触により効果的に除去することができる。
【００４１】
なお、この図３（Ａ）と図３（Ｂ）の実施例では、水路６４または水路７４での洗浄液の流速により空気を空気取入部６２または空気取入部７２より吸入する例について述べたが、別途コンプレッサなどを使用し空気取入部６２または空気取入部７２より空気を圧入して気泡の混入状況を変えることができ、洗浄する冷却路や冷却配管の状況により洗浄効果を上げるようにすることもできる。
【００４２】
また、オリフィス１５、６５、７５は、水路の水流方向に傾斜するとともに水流方向に対し外方に向けるようにすることにより、洗浄液の流れに対し気泡を螺旋状に混入することができ、洗浄効果を上げるようにすることができる。
【００４３】
また、図１と図２の実施例でも、空気取入部１２を複数個設けるようにして気泡の大きさはほぼ同じで混入数を増加させ、スケールの除去効果をさらに上げるようにすることも、また、コンプレッサなどを使用し空気取入部１２より空気を圧入して気泡の混入状況を変えることができ、洗浄する冷却路や冷却配管の状況により洗浄効果を上げるようにすることもできる。
【００４４】
図４は、冷却管洗浄装置１Ａにマグネットユニット２０またはマグネット付フィルタユニット４０付きの冷却配管用ジェット洗浄ユニット１０を取り付けたときのブロック図を示す。冷却配管洗浄装置１Ａは、洗浄液により冷却路や冷却配管に発生した錆や付着したスケールを除去するもので、洗浄液を貯留する貯留槽１０２と、貯留槽１０２から洗浄液を供給するポンプ１０３と、洗浄液を濾過するフィルタ１０４と、圧力計１０５などで構成され、冷却配管用ジェット洗浄ユニット１０が圧力計１０５と弁１０９との間の貯留槽１０２の出口側に装着され、冷却配管用ジェット洗浄ユニット１０により気泡が混入された洗浄液が金型９０に送られる。
【００４５】
例えば金型９０の冷却路９１を洗浄するときには、洗浄液を貯留槽１０２に入れ、金型９０の冷却路９１と冷却配管洗浄装置１Ａとを洗浄液供給側の連結管９２と洗浄液回収側の連結管９３により連結し、弁１０８、１０９を開きポンプ１０３を作動させると、洗浄液は冷却配管用ジェット洗浄ユニット１０を経過し気泡が混入され金型９０の冷却路９１を循環し、洗浄が行われる。洗浄状況は、圧力計１０５で監視でき、洗浄後は排水用の弁１０７を開き洗浄液を回収することができる。
【００４６】
冷却管洗浄装置１Ａは、冷却配管用ジェット洗浄ユニット１０を取り付けているため、前記したごとく磁気効果により冷却路や冷却配管に発生した錆をより効率的に除去することができ、また、多数の気泡を混入しているため、洗浄液による洗浄効果に加え、付着したスケールなどを気泡との接触により効果的に除去することができる。
【００４７】
なお、冷却配管用ジェット洗浄ユニット１０には前記したごとくコンプレッサ１０６を取り付け、気泡の混入状況を変えるようにすることができ、また、冷却配管用ジェット洗浄ユニット１０の代わりに冷却配管用ジェット洗浄ユニット６０、７０を取り付けるようにすることもできる。
【００４８】
図５は、冷却管浄化装置１Ｂにマグネットユニット２０またはマグネット付フィルタユニット４０付きの冷却配管用ジェット洗浄ユニット１０を取り付けたときのブロック図を示す。冷却配管浄化装置１Ｂは、例えば稼動中の成形金型の冷却路を循環させる冷却液に洗浄液を使用し、稼働中に冷却路の錆やスケールの発生防止や除去を行うもので、洗浄液を冷却する冷却装置２０１に洗浄液を送るポンプ２０３と、冷却装置２０１からの洗浄液を濾過するフィルタ２０４Ａと、フィルタ２０４Ａに接続した圧力計２０５と、金型９０よりの洗浄液を濾過するフィルタ２０４Ｂなどで構成され、冷却配管用ジェット洗浄ユニット１０が圧力計２０５と弁２０９との間に装着されて洗浄液を金型９０と冷却装置２０１を循環させている。冷却配管用ジェット洗浄ユニット１０は圧力計２０５と弁２０９との間の冷却装置２０１の出口側に装着されているため、冷却装置２０１の出口側で洗浄液に気泡の混入を行うことができ、金型９０に絶えず気泡の混入した洗浄液を送ることができる。
【００４９】
稼働中に洗浄液が金型９０と冷却装置２０１を循環し、冷却管洗浄装置に冷却配管用ジェット洗浄ユニット１０を取り付けているため、錆の発生防止とスケールの付着防止を行うとともに、前記と同様に磁気効果により稼働中の成形金型の冷却路に発生した錆をより効率的に除去することができ、また、多数の気泡を混入しているため、洗浄液による洗浄効果に加え、付着したスケールなどを気泡との接触により効果的に除去することができ、成形金型を適格な状況に維持することができる。
【００５０】
なお、冷却配管用ジェット洗浄ユニット１０には前記したごとくコンプレッサ２０６を取り付け、気泡の混入状況を変えるようにすることができ、また、冷却配管用ジェット洗浄ユニット１０の代わりに冷却配管用ジェット洗浄ユニット６０を取り付けるようにすることもできる。
【００５１】
また、以上の実施例は冷却路や冷却配管について述べたが、本発明はこれに限定されることなく、錆やスケールが発生するその他の配管類に使用することができる。
【００５２】
【発明の効果】
本発明の冷却配管用ジェット洗浄ユニットは、洗浄液を流通させる円筒状の水路と、該円筒状の水路に挿入されたノズルと、該ノズルの出口側に設けられ前記水路より小径の出口側の円筒状の水路と、該出口側の円筒状の水路に直角方向に設けられ外部より空気を導入する空気取入部と、該空気取入部と連通し該出口側の水路に空気を吸入可能なオリフィスとを備えたため、極めて簡潔な構造で、円筒状の水路を流通するときオリフィスにより多数の気泡の混入された洗浄液は、冷却路や冷却配管に流入されるが、洗浄液による洗浄効果に加え、付着したスケールなどを気泡との接触により効果的に除去することができる。
【００５３】
【発明の効果】
本発明の冷却配管用ジェット洗浄ユニットは、水平方向に設けられ洗浄液を流通させる円筒状の水路と、該円筒状の水路に挿入されたノズルと、該ノズルの出口側に設けられ前記水路より小径の水平方向に設けられる出口側の円筒状の水路と、該出口側の円筒状の水路に垂直方向に設けられ外部より空気を導入する円筒状の空気取入部と、該空気取入部と連通し該出口側の水路に空気を吸入可能なオリフィスとを備えたため、極めて簡潔な構造で、円筒状の水路を流通するときオリフィスにより多数の気泡の混入された洗浄液は、冷却路や冷却配管に流入されるが、洗浄液による洗浄効果に加え、付着したスケールなどを気泡との接触により効果的に除去することができる。
【００５４】
また、複数のリング状のマグネットが重ねられ円筒状の水路が形成されたマグネットユニットに前記冷却配管用ジェット洗浄ユニットを接続し、洗浄液が前記マグネットの水路を流通し前記冷却配管用ジェット洗浄ユニットに流入するため、マグネットユニットを通るときマグネットにより磁気中を通過した洗浄液は、その磁気効果により冷却路や冷却配管に発生した錆をより効率的に除去することができる。また、コンパクトな構造にもなっている。
【００５５】
また、内部にフィルタエレメントが装着されたフィルタと、複数のリング状のマグネットが重ねられたマグネットユニットとで構成され、該マグネットユニットの内側に前記フィルタが挿入されたマグネット付フィルタユニットに前記冷却配管用ジェット洗浄ユニットを接続し、洗浄液が前記フィルタエレメントを浸透して流出するとき前記マグネットユニットの磁気中を通り前記冷却配管用ジェット洗浄ユニットに流入するため、マグネット付フィルタユニットを通るときマグネットにより磁気中を通過した洗浄液は、その磁気効果により冷却路や冷却配管に発生した錆をより効率的に除去することができ、さらに、フィルタにより洗浄液中のスケールも除去できる全体にコンパクトの構造になっている。
【００５６】
また、前記オリフィスは、前記水路の円筒方向または円周方向に複数個備えたため、気泡の大きさはほぼ同じで混入数を増加することができ、スケールの除去効果をより上げることができる。
【００５７】
また、前記オリフィスは、前記水路の水流方向に傾斜するとともに水流方向に対し外方に向けるため、洗浄液の流れに対し気泡を螺旋状に混入することができ、洗浄効果を上げるようにすることができる。
【００５８】
また、前記オリフィスは、前記オリフィスに空気を圧入するコンプレッサと連通し、該コンプレッサにより前記水路に流れる洗浄液に気泡を強制的に混入するため、気泡の混入状況を変えることができ、洗浄効果を上げるようにすることができる。
【００５９】
また、前記冷却配管用ジェット洗浄ユニットは、冷却管洗浄装置に設けた貯留槽の出口側に取り付けたため、磁気効果により冷却路や冷却配管に発生した錆をより効率的に除去することができ、また、多数の洗浄液に気泡を混入しているため、洗浄液による洗浄効果に加え、付着したスケールなどを気泡との接触により効果的に除去することができ、冷却管洗浄装置の機能を向上させることができる。
【００６０】
さらに、前記冷却配管用ジェット洗浄ユニットは、冷却管浄化装置に備えた冷却装置の出口側に取り付けたため、錆の発生防止とスケールの付着防止を行うとともに、磁気効果により稼働中の成形金型の冷却路に発生した錆をより効率的に除去することができる。さらに、洗浄液に多数の気泡を混入しているため洗浄液による洗浄効果に加え、付着したスケールなどを気泡との接触により効果的に除去することができるため、成形金型を適確な状況に維持して冷却管浄化装置の機能を向上させることができる。
【図面の簡単な説明】
【図１】マグネットユニットを一体に取り付けた本発明に関わる冷却配管用ジェット洗浄ユニットの側面構成図を示す。
【図２】マグネット付フィルタユニットを一体に取り付けた本発明に関わる冷却配管用ジェット洗浄ユニットの側面構成図を示す。
【図３】本発明に関わる他の実施例を示し、冷却配管用ジェット洗浄ユニットの側面構成図を示す。図３（Ａ）は、本発明に関わる該冷却配管用ジェット洗浄ユニットの第１実施例の側面構成図を示し、図３（Ｂ）は、本発明に関わる該冷却配管用ジェット洗浄ユニットの第２実施例の側面構成図を示す。
【図４】冷却管洗浄装置に本発明に関わる冷却配管用ジェット洗浄ユニットを取り付けたときのブロック図を示す。
【図５】冷却管浄化装置に本発明に関わる冷却配管用ジェット洗浄ユニットを取り付けたときのブロック図を示す。
【図６】従来装置の冷却配管洗浄装置を説明するためのブロック図を示す。
【符号の説明】
１  冷却配管洗浄装置
２、１０２  貯留槽
４、３０、１０４、２０４  フィルタ
１０、６０、７０  冷却配管用ジェット洗浄ユニット
１４  ノズル
１１Ａ、１７Ｂ、２４、６４、７４  水路
１２、６２、７２  空気取入部
１３、６３、７３  空気取入路
１５、６５、７５  オリフィス
２０、５０  マグネットユニット
２１、５１  リング状のマグネット
３２  フィルタエレメント
４０  マグネット付フィルタユニット
６１、７１  流水管部
７６  環状空気取入部
９０  金型
９１  冷却路
１０６、２０６  コンプレッサ
２０１  冷却装置
【図１】
0004420992.tif 000002
【図２】
0004420992.tif 000003
【図３】
0004420992.tif 000004
【図４】
0004420992.tif 000005
【図５】
0004420992.tif 000006
【図６】
0004420992.tif 000007